(57)【要約】      （修正有）【課題】使用に際して簡便な作業を行うだけで使用し始めることができ、保管時に薬剤を含有する部材と発熱体と同封できる加熱蒸散型害虫防除具を提供する。【解決手段】酸素によって発熱する発熱組成物４１を内包する発熱部４と、揮発性を有し害虫を防除する薬剤を保持する薬剤保持部２と、発熱部４と薬剤保持部２を分離する分離部材３１と、薬剤が通過する第一通気孔１１１及び薬剤保持部２を格納する部分以外で外部と連通する第二通気孔１１２が穿設され、分離部材３１と密接して薬剤保持部２を格納する格納部３を構成する基部材１１と、第一通気孔１１１及び第二通気孔１１２を密閉し得る蓋部５を備える加熱蒸散型害虫防除具。【選択図】図２
2017099296.tif 000002
【特許請求の範囲】
【請求項１】
酸素によって発熱する発熱組成物を内包する発熱部と、
揮発性を有し害虫を防除する薬剤を保持する薬剤保持部と、
前記発熱部と前記薬剤保持部を分離する分離部材と、
前記薬剤が通過する第一通気孔及び前記薬剤保持部を格納する部分以外で外部と連通する第二通気孔が穿設され、前記分離部材と密接して前記薬剤保持部を格納する格納部を構成する基部材と、
前記第一通気孔及び前記第二通気孔を密閉し得る蓋部を備えることを特徴とする加熱蒸散型害虫防除具。
【請求項２】
前記基部材の周縁部と一体となり、前記発熱部を収納する収納部を構成する収納部材を備えることを特徴とする請求項１に記載の加熱蒸散型害虫防除具。
【請求項３】
前記発熱部が、通気性を有する包装体で前記発熱組成物を内包したことを特徴とする請求項２に記載の加熱蒸散型害虫防除具。
【請求項４】
前記基部材の周縁部が前記発熱部と固設されていることを特徴とする請求項１に記載の加熱蒸散型害虫防除具。
【請求項５】
前記発熱部が、前記基材部に覆われている側を通気性を有する包装体で、及び前記基材部に覆われていない側を気密性を有するガスバリア性包装体で前記発熱組成物を内包したことを特徴とする請求項４に記載の加熱蒸散型害虫防除具。
【請求項６】
前記薬剤は、ピレスロイド系化合物又は天然精油成分の少なくとも一種であることを特徴とする請求項１から請求項５のいずれかに記載の加熱蒸散型害虫防除具。
【発明の詳細な説明】
【技術分野】
【０００１】
本発明は、屋内及び屋外における活動時に、電気やガスを使用せずに化学反応熱により殺虫性成分を蒸散させ害虫を忌避又は殺虫などにより防除する加熱蒸散型害虫防除具に関する。
【背景技術】
【０００２】
従来、電気やガスなどの燃料を要するエネルギー源を使用せずに、屋外での活動時に、蚊、蝿、虻、蜂などの害虫から身を守るための防除具が種々知られている。
【０００３】
例えば、特許文献１には、通気性を有する袋材１ａ内に酸素と化学反応して発熱する発熱材等が封入された発熱体１の表面及び裏面に、殺虫剤などを含有する薬剤シート２を貼り付けて、発熱体１の発熱により薬剤シート２に含有された殺虫剤などが気化させることができる薬剤気化材、およびそれを収納する容器が開示されている。
【０００４】
また、特許文献２には、通気孔６を有する収納容器５の内部に、化学反応して熱を発する発熱体組成物３と、その外側に設けられた薬剤含浸体８を備え、発熱体組成物の化学反応熱を用いて薬剤含浸体８に含浸させた殺虫成分を蒸散させて使用する殺虫器具及び殺虫方法が開示されている。
【先行技術文献】
【特許文献】
【０００５】
【特許文献１】特開平５−２６２６０２号公報
【特許文献２】特開２００１−３１６２０３号公報
【発明の概要】
【発明が解決しようとする課題】
【０００６】
しかしながら、特許文献１、特許文献２に記載の発明では、予め用意された材料を用いて使用者が使用の度に複数の工程に従って設置する必要があり、具体的には発熱体を包装材等から取り出して発熱を起こさせる準備を行い、そして用意した発熱体を、通気性を有する容器に収納という一連の作業が必要であり、また、場合によってはその発熱体に薬剤を含有する材料を取り付ける作業も必要であり、使用するための作業が多く煩雑であった。
【０００７】
また、特許文献１、特許文献２に記載の発明では、薬剤を含有する部材が、発熱体に直接設けて使用されるため、薬剤を含浸する部材及び所謂使い捨てカイロなどのような発熱材を包装容器などの包装部材で同封して保管するなど使用していないときに、発熱材を封入する不織布などからなる袋や発熱材に含まれる活性炭などの吸着材等が薬剤を吸着してしまい、含浸された薬剤の一部しか外部へ放出することができず、予め含浸された薬剤の量では十分に害虫を防除できなかったり、十分な防除効果を生じさせるために不必要に大量の薬剤を含浸したりすることが問題であった。
【０００８】
そこで、本発明では、使用者が使用に際して予め用意された複数の部材を組み合わせたりするなど煩雑な作業を行うことなくごく簡便な作業を行うだけで使用し始めることができる加熱蒸散型害虫防除具を提供することを目的とする。
【０００９】
また、本発明では、所謂使い捨てカイロなどのような発熱体を用いたときに、保管などの不使用時に薬剤を含有する部材と発熱体と同封しても薬剤が発熱体に移行することを防ぐことができる加熱蒸散型害虫防除具を提供することを目的とする。
【課題を解決するための手段】
【００１０】
〔１〕すなわち、本発明は、酸素によって発熱する発熱組成物４１を内包する発熱部４と、揮発性を有し害虫を防除する薬剤を保持する薬剤保持部２と、前記発熱部４と前記薬剤保持部２を分離する分離部材３１と、前記薬剤が通過する第一通気孔１１１及び前記薬剤保持部２を格納する部分以外で外部と連通する第二通気孔１１２が穿設され、前記分離部材３１と密接して前記薬剤保持部２を格納する格納部３を構成する基部材１１と、前記第一通気孔１１１及び前記第二通気孔１１２を密閉し得る蓋部５を備えることを特徴とする加熱蒸散型害虫防除具である。
【００１１】
〔２〕そして、前記基部材１１の周縁部と一体となり、前記発熱部４を収納する収納部１を構成する収納部材１２を備えることを特徴とする前記〔１〕に記載の加熱蒸散型害虫防除具である。
【００１２】
〔３〕そして、前記発熱部４が、通気性を有する包装体４２で前記発熱組成物４１を内包したことを特徴とする前記〔２〕に記載の加熱蒸散型害虫防除具である。
【００１３】
〔４〕そして、前記基部材１１の周縁部が前記発熱部４と固設されていることを特徴とする前記〔１〕に記載の加熱蒸散型害虫防除具である。
【００１４】
〔５〕そして、前記発熱部４が、前記基材部１１に覆われている側を通気性を有する包装体４２で、及び前記基材部１１に覆われていない側を気密性を有するガスバリア性包装体４３で前記発熱組成物４１を内包したことを特徴とする前記〔４〕に記載の加熱蒸散型害虫防除具である。
【００１５】
〔６〕そして、前記薬剤は、ピレスロイド系化合物又は天然精油成分の少なくとも一種であることを特徴とする前記〔１〕から前記〔５〕のいずれかに記載の加熱蒸散型害虫防除具である。
【発明の効果】
【００１６】
本発明によれば、予め用意された複数の部材を組み合わせたりするなど煩雑な作業を行うことなく、一回の作業によって簡便に準備して使用し始めることができ、さらに、所謂使い捨てカイロなどのような発熱体を用いたときに、保管などの不使用時に薬剤を含有する部材と発熱体と同封しても薬剤が発熱体に移行することを防ぐことができる。
【図面の簡単な説明】
【００１７】
【図１】本発明の第一実施形態における斜視図である。
【図２】本発明の第一実施形態におけるＡ−Ａ線断面図である。
【図３】本発明の第一実施形態における熱源（一部破断）と薬剤保持部に関する部品斜視図である。
【図４】本発明の第一実施形態におけるＢ−Ｂ線断面図である。
【図５】本発明の第二実施形態における中央線断面図である（第一実施形態におけるＡ−Ａ線断面図に相当）。
【発明を実施するための形態】
【００１８】
以下、本発明の加熱蒸散型害虫防除具に関する複数の実施形態について詳しく説明する。なお、以下に説明する実施形態は、本発明を実施するに好ましい具体例であるから、技術的に種々の限定がなされているが、本発明は、以下の説明において特に発明を限定する旨が明記されていない限り、この形態に限定されるものではない。そして、説明中における範囲を示す表記のある場合は、上限と下限を含有するものである。
【００１９】
＜第一実施形態＞
本発明の第一実施形態における加熱蒸散型害虫防除具は、図１及び図２に示すように、基部材１１と分離部材３１が密接されて生じる内部空間を有する格納部３に薬剤保持部２が格納されており、基部材１１と収納部材１２と分離部材３１が密接されて生じる内部空間を有する収納部１に発熱部４が収納され、基部材１１には、第一通気孔１１１と第二通気孔１１２を覆う蓋部５が設けられている。そして、蓋部５を基部材１１から剥がすことにより、基部材１１に複数設けられた第二通気孔１１２から空気を内部に取り込んで、発熱部４が空気中の酸素と反応して発熱することによって薬剤保持部２が加温されて、薬剤保持部２に保持されている薬剤が基部材１１に複数設けられた第一通気孔１１１から揮散して使用するものである。第一通気孔１１１は、基部材１１のうち分離部材３１とともに薬剤保持部２を格納する格納部３を構成する部分において薬剤保持部２に保持された薬剤が通過し得るように穿設されており、他方、第二通気孔１１２は、基材部１１のうち薬剤保持部２を格納する部分以外、すなわち、収納部材１２及び分離部材３１とともに発熱部４を収納する収納部１を構成する部分において外部と連通するように穿設されている。
【００２０】
図２に示すように、基部材１１の周縁部と収納部材１２の周縁部が溶着や接着などに密接されて一体となり、基部材１１、収納部材１２及び分離部材３１で形成された収納部１は、発熱部４などを収納することができる空間を内部に備えた部材である。本実施形態において、収納部１は、シート状の基部材１１及び収納部材１２の外周部を溶着などの方法により固定した袋状の部材であるが、他の実施形態において箱状などとすることもできる。
【００２１】
そして、本実施形態において、図１に示すように、基部材１１には、基部材１１及び分離部材３１で形成された格納部３の内外を貫通する複数の第一通気孔１１１と、収納部１の内外を貫通する複数の第二通気孔１１２の２種類の通気孔が穿設されている。まず、蓋部５を基部材１１から剥がすことにより、第二通気孔１１２のみから、収納部１の内部に空気などが取り込まれる。そして、発熱部４が、その空気中の酸素と反応して発熱し、分離部材３１を通じて間接的に薬剤保持部２を加温する。そして、第一通気孔１１１から、薬剤保持部２に保持されている前記薬剤が温められて格納部３の外部に拡散される。このように、蓋部５を基部材１１から剥がすという一度の動作により、簡便に、発熱部４が発熱し、薬剤を外部に飛散、放出できる。そして、薬剤保持部２が基部材１１及び分離部材３１により形成された格納部３に封入されていることにより、保管や店頭に陳列されている状態など未使用時において、発熱部４の発熱組成物４１に含まれる活性炭などの吸着性を有する材料や包装体４２に前記薬剤が吸着されないため、害虫を防除する効果を低減したりすることなく、また、十分な防除する効果を奏するために必要以上に前記薬剤を薬剤保持部２に保持させたりする必要がなくなる。また、薬剤保持部２が基部材１１及び分離部材３１により形成された格納部３に内包されており、外部から薬剤保持部２を取り出すことができないために、乳幼児が薬剤保持部２を口に入れてしまうという誤飲を防ぐこともできる。なお、第一実施形態において、基部材１１に穿設された第一通気孔１１１及び第二通気孔１１２は丸孔として図示されているが、前記薬剤が格納部３の外部に拡散されるのであれば、他の実施形態において、通気孔の形状を略楕円形、矩形状、網目状等とすることができ、また、基部材１１を複数の繊維によって編まれた網目状とすることや、基部材１１として目視では孔が設けられていないように見える、前記薬剤を透過することができる素材を用いることもできる。さらに、本実施形態では、第一通気孔１１１と第二通気孔１１２は、基部材１１に設けられているが、他の実施形態において、第二通気孔１１２を収納部材１２に設け、第一通気孔１１１を基部材１１における格納部３の内部に連通可能な位置に設けることもできる。
【００２２】
そして、収納部１や格納部３を形成する基部材１１には、第一通気孔１１１と第二通気孔１１２を覆う蓋部５が設けられている。蓋部５は、未使用時などに第一通気孔１１１と第二通気孔１１２を封じる部材である。蓋部５の裏面、すなわち基部材１１と当接する面には、図示しない接着層が設けられており、蓋部５を基部材１１から剥がすことで第二通気孔１１２から空気などを収納部１の内部に取り込むことができ、第一通気孔１１１から前記薬剤を格納部３より外部へ放出させることができる。蓋部５を基部材１１に密着させて、第一通気孔１１１と第二通気孔１１２に蓋をすることにより、発熱部４が空気中の酸素と反応すること防ぎ、そして、前記薬剤が格納部３から外部に拡散することを防ぐ。このため、本発明を使用しないとき、蓋部５で第一通気孔１１１と第二通気孔１１２を封じているので、保存されているときでも薬剤保持部２から前記薬剤が不必要に揮発することを防ぐことができる。また、蓋部５を基部材１１から完全に剥がして第一通気孔１１１と第二通気孔１１２の全てを収納部１及び格納部３の内外を連通するよう開放することもできるし、また、基部材１１から半分程度剥がして第一通気孔１１１と第二通気孔１１２の半分程度を同様に開放することもできる。このように、蓋部５の開閉の程度によって、発熱部４の発熱温度や発熱持続時間を調節したり、前記薬剤が格納部３から放出する量を制御したりすることもできる。また、蓋部５は、一度基部材１１から取り外すと、再び基部材１１には接着しないように設計することもできるし、一方、再び基部材１１に接着するように設計することもできる。また、第二通気孔１１２を収納部材１２に設け、第一通気孔１１１を基部材１１における格納部３の内部空間に連通可能な位置に設けた場合には、蓋部５は、第一通気孔１１１及び第二通気孔１１２を覆う一つの部材で構成することが好ましい。
【００２３】
そして、収納部１及び格納部３を構成する基部材１１、収納部材１２及び分離部材３１と蓋部５の材料は、ポリエチレンテレフタレート、ナイロン６やナイロン６，６などのナイロン、エチレン・ビニルアルコール共重合体、ポリエチレン、ポリプロピレン、ポリ塩化ビニリデン被覆二軸延伸ポリプロピレン、直鎖状低密度ポリエチレンなどの熱可塑性樹脂や、アルミニウム、銅などの良好な熱伝導性を有する薄い金属部材が積層された熱可塑性樹脂からなるフィルム、アルミニウム、銅などの良好な熱伝導性を有する金属製フィルムであることが好ましく、ポリエチレンテレフタレート、ナイロン、エチレン・ビニルアルコール共重合体の１種又は２種以上がさらに好ましい。収納部１及び格納部３を構成する基部材１１、収納部材１２及び分離部材３１と蓋部５の材料をこれらの材料とすると前記薬剤の吸着を防ぐことができるため、未使用時には、薬剤保持部２に保持されている前記薬剤が格納部３の内部に留まり、使用時には、薬剤保持部２から揮散した前記薬剤が、格納部３の外部へ効率良く飛散、放出することができる。さらに熱可塑性樹脂にアルミニウム、シリカ、アルミナなどの金属、酸化金属化合物が蒸着されていること、ベンゾトリアゾール系化合物、ベンゾフェノン系化合物、サリシレート系化合物、シアノアクリルレート系化合物、ニッケル系化合物、トリアジン系化合物などの紫外線吸収剤が混練されていること、顔料や染料により着色されていることから選ばれる少なくとも１種の加工が施されていることがさらに好ましい。基部材１１、収納部材１２及び分離部材３１の材料が上記の加工が施されていることにより、遮光性を有する。すなわち、収納部１と格納部３の内部へ太陽光などに含まれる紫外線などが透過することを防止、又は低減することができるので、薬剤保持部２に含まれる害虫駆除剤の分解などを抑制することができる。また、金属、酸化金属化合物が蒸着されていると、遮光性とともにガスバリア性も併せ持つため、基部材１１、収納部材１２、蓋部５の外部から収納部１の内部へ酸素が通過することを防ぎ、熱源４の酸化による発熱を抑制することができる。また、図示していないが、収納部１の外表面、すなわち、収納部材１２における発熱部４側の反対側には、身体、家具などの部材に貼り付けて固定するために、ゴム系粘着剤、アクリル系粘着剤、シリコン系粘着剤、ウレタン系粘着剤、ポリエステル系粘着剤、ポリアミド系粘着剤、エポキシ系粘着剤、ビニルアルキルエーテル系粘着剤、フッ素系粘着剤などの粘着剤を設けることが好ましい。さらに、基部材１１、収納部材１２、分離部材３１及び蓋部５に用いる全て又は一部の部材に対して、必要に応じて文字や図柄などを印刷することが可能である。特に、蓋部５と収納部材１２に対して色彩を付して文字や図柄などの印刷を行うことで外装パッケージとしての機能も具備することにより、本発明の加熱蒸散型害虫防除具を収納する収納具を別途用意する必要がなく、製造工程の短縮化、低コスト化、コンパクト化や廃棄物の低減へとつなげることができる。
【００２４】
薬剤保持部２は、揮発性を有し害虫を防除する薬剤を保持する部材である。本実施形態において、図４に示すように、前記薬剤が含浸された薬剤含浸層２１、薬剤含浸層２１を支持する支持層２２などを含む多層構造を有している。薬剤含浸層２１は、内部に隙間がある網目構造を有しており、その隙間に前記薬剤を表面張力などで保持しうる部材である。薬剤含浸層２１の材質は、ポリオレフィン繊維、アラミド繊維、ポリエステル繊維、ビニロン繊維、ナイロン繊維、レーヨン繊維などから選ばれる１種又は２種以上であることが好ましい。また、薬剤含浸層２１における網目は、規則性を有していても不規則であってもよい。また、薬剤含浸層２１の大きさについては、含浸させる前記薬剤の量に応じて種々変更することができる。また、本実施形態では、薬剤含浸層２１はシート状の部材であるが、他の実施形態において、ゼオライトなどのように複数の微小な孔を有する多孔質状部材としたり、前記薬剤を揮散しやすくするために高分子材料などで形成された立体的な網目状部材としたり、前記薬剤を内部に保持する容器としたりすることもできる。
【００２５】
支持層２２は、薬剤含浸層２１を支持し、薬剤保持部２の形状を保持する部材である。支持層２２の材質は、軽量化のためポリエチレン、ポリプロピレン、ポリエステルなどの合成樹脂からなることが好ましいが、熱伝導が良好な金属板を用いることができる。厚みは、薬剤保持部２の形状を保持しながらも発熱部４から発せられた熱を薬剤含浸層２１に伝えるために、０．０１〜１０ｍｍであることが好ましい。なお、本実施形態において、薬剤保持部２は、多層構造を有しているが、他の実施形態において、前記薬剤が含浸された薬剤含浸層２１のみの単層で構成することもできる。
【００２６】
そして、薬剤保持部２に保持されている揮発性を有し害虫を忌避又は殺虫などにより防除する薬剤は、ピレスロイド系化合物又は天然精油成分の少なくとも一種を有効成分と含有する製剤である。これらの成分であれば、蚊、蝿、虻、蜂などの害虫に対して、殺虫効果や忌避効果などの防除効果を有するとともに、発熱部４からの熱により格納部３から外部にも拡散されやすいので好ましい。
【００２７】
ピレスロイド系化合物としては、天然ピレスロイドとして、ピレトリンＩ＜（１Ｒ，３Ｒ）−２，２−ジメチル−３−（２−メチル−１−プロペニル）シクロプロパンカルボン酸（１Ｓ）−２−メチル−４−オキソ−３−（２Ｚ）−２，４−ペンタジエニル−２−シクロペンテン−１−イルエステル＞、ピレトリンＩＩ＜（１Ｒ，３Ｒ）−３−［（１Ｅ）−３−メトキシ−２−メチル−３−オキソ−１−プロペニル］−２，２−ジメチルシクロプロパンカルボン酸（１Ｓ）−２−メチル−４−オキソ−３−（２Ｚ）−２，４−ペンタジエニル−２−シクロペンテン−１−イルエステル＞、シネリンＩ＜（１Ｒ，３Ｒ）−２，２−ジメチル−３−（２−メチル−１−プロペニル）シクロプロパンカルボン酸（１Ｓ）−３−（２Ｚ）−（２−ブテニル）−２−メチル−４−オキソ−２−シクロペンテン−１−イルエステル＞、シネリンＩＩ＜（１Ｒ，３Ｒ）−３−［（１Ｅ）−３−メトキシ−２−メチル−３−オキソ−１−プロペニル］−２，２−ジメチルシクロプロパンカルボン酸（１Ｓ）−３−（２Ｚ）−（２−ブテニル）−２−メチル−４−オキソ−２−シクロペンテン−１−イルエステル＞、ジャスモリンＩ＜（１Ｒ，３Ｒ）−２，２−ジメチル−３−（２−メチル−１−プロペニル）シクロプロパンカルボン酸 （１Ｓ）−２−メチル−４−オキソ−３−（２Ｚ）−２−ペンテニル−２−シクロペンテン−１−イルエステル＞、ジャスモリンＩＩ＜（１Ｒ，３Ｒ）−３−［（１Ｅ）−３−メトキシ−２−メチル−３−オキソ−１−プロペニル］−２，２−ジメチルシクロプロパンカルボン酸 （１Ｓ）−２−メチル−４−オキソ−３−（２Ｚ）−２−ペンテニル−２−シクロペンテン−１−イルエステル＞、合成ピレスロイドとして、アレスリンＩ＜２，２−ジメチル−３−（２−メチル−１−プロペニル）シクロプロパンカルボン酸２−メチル−４−オキソ−３−（２−プロペニル）−２−シクロペンテン−１−イルエステル＞、アレスリンＩＩ＜３−（３−メトキシ−２−メチル−３−オキソ−１−プロペニル）−２，２−ジメチルシクロプロパンカルボン酸２−メチル−４−オキソ−３−（２−プロペニル）−２−シクロペンテン−１−イルエステル＞、フタルスリン（別名；Ｄ−テトラメトリン）＜（１，３−ジオキソ−４，５，６，７−テトラヒドロイソインドリン−２−イル）メチル＝２，２−ジメチル−３−（２−メチルプロパ−１−エン−１−イル）シクロプロパン−１−カルボキシラート＞、レスメトリン＜（５−ベンジル−３−フリル）メチル＝２，２−ジメチル−３−（２−メチルプロパ−１−エン−１−イル）シクロプロパンカルボキシラート＞、フェノトリン＜３−フェノキシベンジル＝２−ジメチル−３−（メチルプロペニル）シクロプロパンカルボキシラート＞、ペルメトリン＜３−フェノキシベンジル＝３−（２，２−ジクロロビニル）−２，２−ジメチルシクロプロパンカルボキシラート＞、シフェノトリン＜シアノ（３−フェノキシフェニル）メチル＝２，２−ジメチル−３−（２−メチルプロパ−１−エン−１−イル）シクロプロパンカルボキシラート＞、エトフェンプロックス＜４−（４−エトキシフェニル）−４−メチル−１−（３−フェノキシフェニル）−２−オキサペンタン＞、���トフルトリン＜２，２−ジメチル−３−（プロパ−１−エン−１−イル）シクロプロパンカルボン酸=２，３，５，６−テトラフルオロ−４−（メトキシメチル）ベンジル＞、トランスフルトリン＜（１Ｒ，３Ｓ）−３−［（Ｅ）−２，２−ジクロロビニル］−２，２−ジメチルシクロプロパンカルボン酸=２，３，５，６−テトラフルオロベンジル＞、シフルトリン＜シアノ（４−フルオロ−３−フェノキシフェニル）メチル＝３−（２，２−ジクロロビニル）−２，２−ジメチルシクロプロパン−１−カルボキシラート＞、などが好ましい。そして、上記のうちペルメトリン、フェノトリン、アレスリン、フタルスリン、レストメトリン、メトフルトリン、トランスフルトリンが、より好ましく、さらに、メトフルトリン、トランスフルトリンが最も好ましい。また、上記のピレスロイド系化合物は１種類のみ、又は２種類以上組み合わせて用いることができる。
【００２８】
天然精油成分は、植物の枝葉、根茎、木皮、果実、花、つぼみ、樹脂などから得られる揮発性の油状物であり、水蒸気蒸留法、圧搾法、抽出法などで植物の各箇所より分離し、精製して得られる。
【００２９】
精油の原材料としては、種々挙げられるが、グレープフルーツ、ゼラニウム、ローズマリー、アニス、アルモワーズ、イランイラン、オレンジ、カナンガ、カモミール、カルダモン、カユプテ、クラリセージ、クローブ、コリアンダー、サイプレス、サンダルウッド、シダーウッド、シトロネラ、ジュニパーベリー、ジンジャー、スペアミント、セージ、ティートリー、ナツメグ、ネロリ、パインニードル、バジル、パチョリー、パルマローザ、フェンネル、ブラックペッパー、ペチグレン、ベチバー、ペパーミント，ベルガモット、マージョラム、マンダリン、ユーカリレモン、ライム、ラベンダー、レモン、レモングラス、ローズウッド、月桃葉油、桂皮油、薄荷油が好ましい。これら原材料から得られた精油は、害虫に対して有用な忌避効果を有する。
【００３０】
上記原料から得られる精油には、揮発性を有する種々の化合物が含有されている。グレープフルーツには、ｄ−リモネン、ミルセン、α−ピネンなどが含有されている。ゼラニウムには、シトロネロール、ゲラニオール、リナロールなどが含有されている。ローズマリーには、α−ピネン、カンファー、１，８−シネオールなどが含有されている。アニスには、（Ｅ）−アネトール、リモネン、アニスアルデヒドなどが含有されている。アルモアーズには、１，８−シネオール、ツジョン、ボルネオール、カンファー、ピネン、アルテミシニン（セスキテルペン・ラクトン）リナロール、ネロールなどが含有されている。イランイランには、リナロール、β−カリオレフィン、ゲルマクレンＤなどが含有されている。オレンジには、リモネン、ミルセン、β−ビサボレンなどが含有されている。カナンガには、カリオフィレン、酢酸ゲラニル、テルピネオールなどが含有されている。カモミールには、ファルネセン、カマズレン、α−ビサボロールオキサイドＢなどが含有されている。カルダモンには、１，８−シネオール、α−テルピニルアセテート、リモネンなどが含有されている。カユプテには、１，８−シネオール、α−テルピネオール、パラ−シメンなどが含有されている。クラリセージには、酢酸リナリル、リナロール、ゲルマクレンＤなどが含有されている。クローブには、オイゲノール、β−カリオフィレン、オイゲニルアセテートなどが含有されている。コリアンダーには、ｄ−リナロール、カンファー、α―ピネンなどが含有されている。サイプレスには、α―ピネン、δ−３−カレンなどが含有されている。サンダルウッドには、シス−α−サンタロール、シス−β−サンタロール、ｅｐｉ−β−サンタロールなどが含有されている。シダーウッドには、ツヨプセン、α−セドレン、セドロールなどが含有されている。シトロネラには、ゲラニオール、リモネン、シトロネロールなどが含有されている。ジュニパーベリーには、α−ピネン、ミルセン、β−ファルネセンなどが含有されている。ジンジャーには、ａｒ−クルクメン、α−ジンジベレン、β−セスキフェランドレンなどが含有されている。スペアミントには、（−）−カルボン、ジヒドロカルボン、１，８−シネオールなどが含有されている。セージには、α−ツヨン、β−ツヨン、カンファーなどが含有されている。ティートリーには、テルピネン−４−オール、γ−テルピネン、α−テルピネンなどが含有されている。ナツメグには、α−ピネン、サビネン、β−ピネンなどが含有されている。ネロリには、リナロール、リモネン、βピネンなどが含有されている。パインニードルには、α−ピネン、β−ピネン、ミルセンなどが含有されている。バジルには、リナロール、メチルチャビコール、β−カリオフィレンなどが含有されている。パチョリーには、パチュリアルコール、α−パチュレン、β−カリオフィレンなどが含有されている。パルマローザには、ゲラニオール、酢酸ゲラニル、リナロールなどが含有されている。フェンネルには、（Ｅ）−アネトール、リモネン、メチルチャビコールなどが含有されている。ブラックペッパーには、β−３−カリオフィレン、δ−３−カレン、リモネンなどが含有されている。ペチグレンには、リナリルアセテート、リナロール、α―テルピネオールなどが含有されている。ベチバーには、ベチベロール、ベチベン、α−ベチボールなどが含有されている。ベルガモットには、リモネン、リナリルアセテート、リナロールなどが含有されている。マージョラムには、テルピネン−４−オール、シス−サビネンヒドレート、パラ−シメンなどが含有されている。マンダリンには、リモネン、γ−テルピネン、β−ピネンなどが含有されている。ユーカリレモンには、シトロネラール、シトロネロール、シトラールなどが含有されている。ライムには、リモネン、γ−テルピネン、β−ピネンなどが含有されている。ラベンダーには、酢酸リナリル、リナロール、（Ｚ）−β−オシメンなどが含有されている。レモンには、リモネン、β−ピネン、γ−テルピネンなどが含有されている。レモングラスには、ゲラニアール、シトラール、エレモールなどが含有されている。ローズウッドには、リナロール、α−テルピネオール、シスーリナロールオキサイドなどが含有されている。ペパーミントには、ｌ−メントール、ｌ−メントン、メントフランなどが含有されている。桂皮油には、シンナムアルデヒド、ｔ−２−メトキシシンナムアルデヒド、クマリンなど含有されている。月桃葉油には、１，８−シネオール、テルピネン−４−オール、ｐ―サイメンなどが含有されている。薄荷油には、ｌ−メントール、ｌ−メントン、メントフランなどが含有されている。
【００３１】
また、上記のピレスロイド系化合物、天然精油成分を併用して用いることもできる。
【００３２】
格納部３は、分離部材３１を介して収納部１に隣接して設けられ、基部材１１と分離部材３１により形成された、薬剤保持部２を内包する部材である。図２に示すように、本実施形態において、格納部３は、基部材１１より小さいシート状の分離部材３１の外周部を溶着や接着剤を用いた接着などの方法により基部材１１の中央近傍に固定した袋状の部材である。このように、格納部３は、基部材１１の一部と分離部材３１によって形成された空間を内部に備えており、薬剤保持部２を内包する。使用時には、基部材１１に複数設けられた第一通気孔１１１から薬剤保持部２に保持されている薬剤が温められて格納部３の外部に拡散される。
【００３３】
発熱部４は、分離部材３１を介して格納部３に隣接して設けられた収納部１に収納され、酸素によって発熱する発熱組成物４１を内包する部材である。本実施形態において、発熱部４は、酸素によって発熱する発熱組成物４１と通気性のある包装体４２で構成される。発熱組成物４１は、酸素による酸化反応で発熱する粉末状又は粒状の物質である。具体的には、発熱組成物４１は、金属粉（ 例えば、鉄、アルミニウム、亜鉛、銅等） 、塩類（ 例えば、塩化ナトリウム、塩化カリウム等のアルカリ金属の塩化物、塩化カルシウム、塩化マグネシウム等のアルカリ土類金属の塩化物等） 、保水剤（ 例えば、バーミュキュライト、ケイ酸カルシウム、シリカゲル、シリカ系多孔質物質、アルミナ、パルプ、木紛、吸水ポリマー等） 、反応促進剤（ 例えば、活性炭、カーボンブラック、黒鉛等） 、水分等などからなる複合物である。そして、それらの配合量を調整することで、発熱するときの温度及び発熱する時間をある程度制御することができる。発熱部４として、市販されている汎用品の所謂使い捨てカイロなどを使用することができる。
【００３４】
本実施形態において、包装体４２は、酸素を通過する通気性を有し、袋状のものであり、その内部に発熱組成物４１を収容する。包装体４２の全面あるいは一部には、発熱組成物４１を漏洩しない程度の孔を有しており、具体的には、紙、不織布、織布などの通気性を有する素材や、また、発泡フィルム、プラスチック、天然ゴム、再生ゴム、合成ゴム、金属箔などの通気性を有しない素材から形成した多孔質フィルムシートなどを使用することができる。中でも、発熱組成物４１を袋状の内部で偏らせずに薬剤保持部２に熱を安定的に伝えるために、炭酸カルシウム等の微粒子を含んだプラスチックフィルムを延伸させて微細孔を形成させた多孔質フィルムシートを用いるのがより好ましい。使用時には、基部材１１に複数設けられた第二通気孔１１２から流入した酸素が包装体４２を通過し、内部の発熱組成物４１の発熱を受けて包装体４２が加熱され、さらにその熱を包装体４２から格納部３を介して薬剤保持部２に伝えることとなる。
【００３５】
本発明で使用される発熱部４は、発熱したときの外表面の温度は４０から７０℃、また発熱持続時間が８から２４時間程度であることが好ましい。
【００３６】
本実施形態において、薬剤保持部２に含浸された前記薬剤がおおよそ揮散したことを使用者に視認できることを示す標識部６を設けることが好ましく、薬剤保持部２の外表面に接着剤などで固設することができる。具体的には、二酸化ケイ素（屈折率１．４５）、ゼオライト（屈折率１．４８）、カオリン（屈折率１．５６）、タルク（屈折率１．５７）、炭酸カルシウム（屈折率１．５８）、ポリスチレン（屈折率１．６）、ポリエチレン（屈折率１．５３）、メタクリル酸メチル樹脂（屈折率１．４９）などの白色又は透明などの微粒子によって構成され、図３に示すように「ＥＮＤ」という文字が描かれている。標識部６として、他の実施形態において、「おとりかえください」、「おわり」など日本語及びその内容に相当する外国語の文字、「×」などの記号などを用いることができ、また、これらの文字、図形、記号を複数組み合わせて構成することもできる。
【００３７】
薬剤保持部２に前記薬剤が十分に含浸されているときには、前記薬剤の屈折率が１．４〜１．６と標識部６を構成する微粒子の屈折率と同様の値であることから、標識部６を構成する微粒子が前記薬剤に接触して濡れることにより、前記薬剤と標識部６が同化して、使用者は標識部６を視認することが難しい。一方、薬剤保持部２に前記薬剤がほとんど含浸されていないときには、標識部６を構成する微粒子が前記薬剤に接触せず周囲の空気（屈折率１．０）と接触することにより、標識部６を構成する微粒子と空気の屈折率の差が大きくなるため、使用者は標識部６を視認し易くなる。また、標識部６を視認し易くなるように、標識部６の微粒子の色と、薬剤保持部２の色を異なるようにすることが好ましい。
【００３８】
＜第二実施形態＞
本発明の第二実施形態における加熱蒸散型害虫防除具は、図５に示すように、基部材１１と分離部材３１が密接されて生じる内部空間を含む部材である格納部３に薬剤保持部２が格納されており、第一実施形態と同様に基部材１１に複数設けられた第二通気孔１１２のみから空気を取り込み、空気中の酸素と反応して発熱する発熱部４によって薬剤保持部２が加温されて、薬剤保持部２に保持されている薬剤が第一通気孔１１１から揮散して使用するものである。本実施形態においても、第一実施形態と同様に、第一通気孔１１１は、基部材１１のうち分離部材３１とともに薬剤保持部２を格納する格納部３を構成する部分において薬剤保持部２に保持された薬剤が通過し得るように穿設されており、他方、第二通気孔１１２は、基材部１１のうち薬剤保持部２を格納する格納部３を構成する部分以外において外部と連通するように穿設されている。
【００３９】
本実施形態において、収納部１は形成されておらず、基部材１１の周縁部が発熱部４の気密性を有するガスバリア性包装体４３の外表面に溶着又は接着などの方法により固設されている。そのため、本実施形態における発熱部４は、発熱部４における基材部１１に覆われている側、すなわち、薬剤保持部２と近接する面において、第一実施形態と同様の通気性を有する包装体４２を用いて、一方、基材部１１に覆われていない側、すなわち、薬剤保持部２と近接する面とは反対側である外部に露出する面において、ガスバリア性包装体４３を用いて発熱組成物４１を内包している。ガスバリア性包装体４３が通気性を有しないため、第一実施形態と同様に、蓋部５により第二通気孔１１２が密閉されている状態において発熱組成物４１が外気に含有される酸素と反応しない状態である。このため、使用者が蓋部５を剥がすと、空気などが第二通気孔１１２から包装体４２を通過して、発熱組成物４１が空気中の酸素と反応して発熱し、これにより、分離部材３１を通じて間接的に薬剤保持部２が加温される。そして、発熱部４により加温された薬剤保持部２から薬剤が第一通気孔１１１を通じて外部に飛散、放出される。なお、気密性を有するガスバリア性包装体４３としては、例えば発泡フィルム、プラスチック、天然ゴム、再生ゴム、合成ゴム、プラスチック、金属箔などの素材、さらに酸化ケイ素や酸化アルミなどの金属酸化物が蒸着されたこれらの素材を用いることが好ましい。
【００４０】
本実施形態も、第一実施形態と同様に、蓋部５を基部材１１から剥がすという一度の動作により、簡便に、発熱部４が発熱し、薬剤を外部に飛散、放出でき、薬剤保持部２が基部材１１及び分離部材３１により形成された格納部３に封入されていることにより、保管や店頭に陳列されている状態など未使用時において、発熱部４の発熱組成物４１に含まれる活性炭などの吸着性を有する材料や包装体４２及びガスバリア性包装体４３に前記薬剤が吸着されないため、害虫を防除する効果を低減したりすることなく、また、十分な防除する効果を奏するために必要以上に前記薬剤を薬剤保持部２に保持させたりする必要がなくなるなどの効果を奏する。
【００４１】
また、薬剤保持部２及びそれに保持される薬剤、発熱組成物４１は、第一実施形態と同様であり、標識部６についても図示していないが第一実施形態と同様である。さらに、発熱部４の外表面、すなわち、発熱部４における薬剤保持部２側の反対側であるガスバリア性包装体４３の外表面には、身体、家具などの部材に貼り付けて固定するために、ゴム系粘着剤、アクリル系粘着剤、シリコン系粘着剤、ウレタン系粘着剤、ポリエステル系粘着剤、ポリアミド系粘着剤、エポキシ系粘着剤、ビニルアルキルエーテル系粘着剤、フッ素系粘着剤などの粘着剤を設けることが好ましい。
【符号の説明】
【００４２】
１・・・収納部
１１・・・基部材
１１１・・・第一通気孔
１１２・・・第二通気孔
１２・・・収納部材
２・・・薬剤保持部
２１・・薬剤含浸層
２２・・支持層
３・・・格納部
３１・・・分離部材
４・・・発熱部
４１・・・発熱組成物
４２・・・包装体
４３・・・ガスバリア性包装体
５・・・蓋部
６・・・標識部
【図１】
2017099296.tif 000003
【図２】
2017099296.tif 000004
【図３】
2017099296.tif 000005
【図４】
2017099296.tif 000006
【図５】
2017099296.tif 000007